(57)【要約】  プラズマディスプレイパネル(1)は、表示ライン(L1-L3)に対応した面放電ギャップ(60)を形成し且つ奇数表示ライン(L1,L3)と偶数表示ライン(L2)とで配列順序が異なるように平行に配列された第１方向に延びる第１および第２の電極(X,Y)、第２方向に延びる複数の第３の電極(A)、第２の電極(Y)と第３の電極(A)とからなるセル選択のための電極マトリクス、電極マトリクスの交点に対応付けられた複数のセル(51,52,53)、およびガス封入空間をセルに配分する格子状の隔壁(23)を備える。第１および第２の電極(X,Y)は対応するセルの放電空間(31)を部分的に覆い、且つ隔壁(23)における水平壁部分(25)をも部分的に覆う。そして、第２の電極(Y)における放電空間(31)を覆う部分の第２方向の寸法(Dy)が第１の電極(X)における放電空間(31)を覆う部分の第２方向の寸法(Dx)よりも大きい。
2008001428.tif 000002
【特許請求の範囲】
【請求項１】
表示ラインに対応した面放電ギャップを形成し且つ奇数表示ラインと偶数表示ラインとで配列順序が異なるように平行に配列された第１方向に延びる第１および第２の電極、第２方向に延びて前記第１および第２の電極と交差する複数の第３の電極、前記第２の電極と第３の電極とからなるセル選択のための電極マトリクス、前記第１の電極および前記電極マトリクスを支持し且つガス封入空間を挟む一対の基板、前記電極マトリクスの交点に対応付けられた複数のセル、および前記ガス封入空間を前記複数のセルに配分する格子状の隔壁を備えたプラズマディスプレイパネルであって、
前記第１および第２の電極のそれぞれが、対応するセルに配分された有効なガス封入空間である放電空間を部分的に覆い、且つ前記隔壁における奇数表示ラインに対応するセルがもつ放電空間と偶数表示ラインに対応するセルがもつ放電空間とを隔てる水平壁部分をも部分的に覆い、
前記第２の電極のそれぞれにおける放電空間を覆う部分の前記第２方向の寸法が前記第１の電極のそれぞれにおける放電空間を覆う部分の前記第２方向の寸法よりも大きい
ことを特徴とするプラズマディスプレイパネル。
【請求項２】
前記第２の電極の幅が前記第１の電極の幅よりも大きい
請求項１に記載のプラズマディスプレイパネル。
【請求項３】
前記第１および前記第２の電極が前記ガス封入空間の前面側に配置され、
前記第１および第２の電極のそれぞれが、対応する放電空間および前記隔壁の水平壁部分を部分的に覆う透明導電膜と、前記放電空間を覆わず且つ前記隔壁の水平壁部分を部分的に覆う金属膜とからなり、
前記セルのそれぞれは、対応する放電空間を部分的に覆う遮光体をもつ
請求項１に記載のプラズマディスプレイパネル。
【請求項４】
前記第１および前記第２の電極が前記ガス封入空間の前面側に配置され、
前記第１および第２の電極のそれぞれが、対応する放電空間および前記隔壁の水平壁部分を部分的に覆う透明導電膜と、前記放電空間を覆わず且つ前記隔壁の水平壁部分を部分的に覆う金属膜とからなり、
前記第２の電極の透明導電膜における面放電ギャップ側端縁の近傍と接し且つ複数のセルに跨る補助金属膜をもつ
請求項１に記載のプラズマディスプレイパネル。
【請求項５】
前記第１および前記第２の電極が前記ガス封入空間の前面側に配置され、
前記第１および第２の電極のそれぞれが、対応する放電空間および前記隔壁の水平壁部分を部分的に覆う透明導電膜と、前記放電空間を覆わず且つ前記隔壁の水平壁部分を部分的に覆う金属膜とからなり、
前記セルのそれぞれは、対応する第２の電極の透明導電膜における面放電ギャップ側端縁の近傍と接した補助金属膜をもつ
請求項１に記載のプラズマディスプレイパネル。
【請求項６】
前記セルのそれぞれは、対応する第１の電極の透明導電膜における面放電ギャップ側端縁の近傍と接した補助金属膜をもつ
請求項５に記載のプラズマディスプレイパネル。
【請求項７】
前記第３の電極における前記第２の電極と交差する部分の幅が、前記第１の電極と交差する部分の幅よりも大きい
請求項１に記載のプラズマディスプレイパネル。
【請求項８】
前記複数の第１の電極のそれぞれが隣接する奇数表示ラインと偶数表示ラインとに対応し、且つ前記複数の第２の電極のそれぞれが隣接する奇数表示ラインと偶数表示ラインとに対応する
請求項１に記載のプラズマディスプレイパネル。
【請求項９】
前記複数の第１の電極のそれぞれが１本の表示ラインのみに対応し、且つ前記複数の第２の電極のそれぞれが１本の表示ラインのみに対応する
請求項１に記載のプラズマディスプレイパネル。
【請求項１０】
表示ラインに対応した面放電ギャップを形成するように平行に配列された第１方向に延びる第１および第２の電極、第２方向に延びて前記第１および第２の電極と交差する複数の第３の電極、前記第２の電極と第３の電極とからなるセル選択のための電極マトリクス、前記第１の電極および前記電極マトリクスを支持し且つガス封入空間を挟む一対の基板、前記電極マトリクスの交点に対応付けられた複数のセル、および前記ガス封入空間を前記複数のセルに配分する格子状の隔壁を備えたプラズマディスプレイパネルであって、
前記第１および前記第２の電極が前記ガス封入空間の前面側に配置され、
前記第１および第２の電極のそれぞれが、対応するセルに配分された有効なガス封入空間である放電空間を部分的に覆う透明導電膜と、前記透明導電膜よりも前記第２方向の寸法が小さい金属膜とからなり、
前記第２の電極のそれぞれにおける放電空間を覆う部分の前記第２方向の寸法が前記第１の電極のそれぞれにおける放電空間を覆う部分の前記第２方向の寸法よりも大きく
前記セルのそれぞれは、対応する放電空間を部分的に覆う遮光体をもつ
ことを特徴とするプラズマディスプレイパネル。
【請求項１１】
表示ラインに対応した面放電ギャップを形成するように平行に配列された第１方向に延びる第１および第２の電極、第２方向に延びて前記第１および第２の電極と交差する複数の第３の電極、前記第２の電極と第３の電極とからなるセル選択のための電極マトリクス、前記第１の電極および前記電極マトリクスを支持し且つガス封入空間を挟む一対の基板、前記電極マトリクスの交点に対応付けられた複数のセル、および前記ガス封入空間を前記複数のセルに配分する格子状の隔壁を備えたプラズマディスプレイパネルであって、
前記第１および前記第２の電極が前記ガス封入空間の前面側に配置され、
前記第１および第２の電極のそれぞれが、対応するセルに配分された有効なガス封入空間である放電空間を部分的に覆う透明導電膜と、前記透明導電膜よりも前記第２方向の寸法が小さい金属膜とからなり、
前記セルのそれぞれは、対応する第２の電極の透明導電膜における面放電ギャップ側端縁の近傍と接した補助金属膜をもつ
ことを特徴とするプラズマディスプレイパネル。
【請求項１２】
前記セルのそれぞれは、対応する第１の電極の透明導電膜における面放電ギャップ側端縁の近傍と接し且つ第２の電極と接する補助金属膜よりも面積の小さい補助金属膜をもつ
請求項１１に記載のプラズマディスプレイパネル。
【発明の詳細な説明】
【技術分野】
【０００１】
本発明は、基板対に挟まれたガス封入空間を画面のセル配列に合わせて縦横に区画する平面視格子状の隔壁を備えたプラズマディスプレイパネルに関する。
【背景技術】
【０００２】
カラー映像を表示する典型的なプラズマディスプレイパネルは、面放電によって発光する。面放電を起こす電極対は平行に延びる第１および第２の電極で構成される。このため、電極に沿って並ぶセルの境界に放電の干渉を防ぐ隔壁（放電障壁）が配置される。【０００３】
近年、隔壁の配置パターンとして、ストライプパターンに代わってメッシュパターン（閉鎖型パターンともいう）が注目されている。マトリクス表示の列ごとにガス封入空間を区画するストライプパターンとは違って、メッシュパターンはガス封入空間を列ごとに区画し且つ行ごとに区画する。メッシュパターンによれば、各セルの放電空間の四方が囲まれるので、画面における水平方向（第１方向）の放電干渉だけでなく垂直方向（第２方向）の放電干渉も防止される。【０００４】
メッシュパターンの隔壁をもつ従来のプラズマディスプレイパネルのセル構造を理解する上で参照すべき文献として特開２００５−２６０１１号公報がある。同公報に開示されたセル構造を図１に示す。図１は内部構造を解り易くするための分解斜視図である。【０００５】
図１において、プラズマディスプレイパネルは前面板１０ｚと背面板２０ｚとを備える。図では前面板１０ｚと背面板２０ｚとが離れているが、実際はこれらは当接する。前面板１０ｚは、ガラス基板１１、第１の電極である表示電極Ｘｚ、第２の電極である表示電極Ｙｚ、ＡＣ駆動のための誘電体層１７、および誘電体層１７に対するスパッタリングを防ぐ保護膜１８を備える。背面板２０ｚは、ガラス基板２１、第３の電極であるアドレス電極Ａ、誘電体層２２、メッシュパターンの隔壁２３ｚ、赤（Ｒ）の蛍光体２７、緑（Ｇ）の蛍光体２８、および青（Ｂ）の蛍光体２９を備える。【０００６】
前面板１０ｚにおいて、表示電極Ｘｚおよび表示電極Ｙｚは、ガラス基板１１の内面に交互に且つ等間隔に配列されており、隣り合う表示電極Ｘｚと表示電極Ｙｚとが面放電のための電極対を構成する。すなわち、この配列における全ての電極間隙が面放電ギャップとなる。これら電極のそれぞれは、２列に並ぶ四角の穴をもつ帯状に形成され、画面の水平方向に延びる。ここで注意すべきは、表示電極Ｘｚの幅と表示電極Ｙｚの幅とが等しいことである。【０００７】
背面板２０ｚにおいて、アドレス電極Ａは、一定幅の帯状導体であり、画面の垂直方向に延びて表示電極Ｘｚおよび表示電極Ｙｚと交差する。これらアドレス電極Ａと前面板１０ｚの表示電極Ｙｚとがアドレス放電によるセル選択のための電極マトリクスを構成する。言い換えれば、平行な第１および第２の電極のうちの一方が表示ラインの選択に用いられ、その表示ライン選択に用いる電極が第２の電極である。【０００８】
背面板２０ｚにおいて、隔壁２３ｚは、画面の垂直方向に延びて表示電極Ｘｚおよび表示電極Ｙｚと交差する複数の垂直壁部分２４ｚと、水平方向に延びる複数の水平壁部分２５ｚとから構成される。水平壁部分２５ｚの幅は表示電極Ｘｚおよび表示電極Ｙｚの幅よりも小さい。【０００９】
一方、特開２００４−２９６４４２号公報において、第１および第２の電極を太い帯状の透明導電膜と細い帯状の金属膜とで構成する一般的な技術の改良として、透明導電膜における面放電ギャップに近い部分に補助金属膜を配置することが提案されている。補助金属膜は表示放電を強める作用を奏するとの開示がある。
【特許文献１】特開２００５−２６０１１号公報
【特許文献２】特開２００４−２９６４４２号公報
【発明の開示】
【００１０】
メッシュパターンの隔壁をもつプラズマディスプレイパネルにおいては、水平壁部分２５ｚが存在するので、アドレス電極Ａに対向するスキャン電極（第２の表示電極Ｙｚ）のアドレス放電に寄与する有効対向面積が、ストライプパターンの隔壁配列をもつプラズマディスプレイパネルと比べて小さい。有効対向面積が小さいほど、アドレス放電の放電確率が小さく、アドレス放電ミスが起こり易い。図２は有効対向面積と点灯アドレス電圧との関係を示す。点灯アドレス電圧とは、スキャン電極とアドレス電極との間に印加するアドレス電圧を徐々に上げていき、正常にアドレス放電が生じたときの電圧である。図２の例では、有効対向面積が約２５０００μｍ2以下になると急激に点灯アドレス電圧が上昇している。これは有効対向面積が２５０００μｍ2以下の場合には、十分に高いアドレス電圧を印加しなければアドレス放電ミスが起こることを意味する。
【００１１】
製造過程での基板の収縮や前面板と背面板との微妙な位置ずれが不可避であるので、セル間における有効対向面積のばらつきが生じる。ばらつきによる駆動電圧マージンへの影響を低減するには、寸法の限られたセルにおいてできるだけ有効対向面積を大きくすることが望ましい。
【００１２】
本発明は、アドレス放電ミスの低減に有用な改良されたプラズマディスプレイパネルの提供を目的としている。
【００１３】
上記目的を達成するプラズマディスプレイパネルは、表示ラインに対応した面放電ギャップを形成し且つ奇数表示ラインと偶数表示ラインとで配列順序が異なるように平行に配列された第１方向に延びる第１および第２の電極、第２方向に延びて前記第１および第２の電極と交差する複数の第３の電極、前記第２の電極と第３の電極とからなるセル選択のための電極マトリクス、前記第１の電極および前記電極マトリクスを支持し且つガス封入空間を挟む一対の基板、前記電極マトリクスの交点に対応付けられた複数のセル、および前記ガス封入空間を前記複数のセルに配分する格子状の隔壁を備えている。当該プラズマディスプレイパネルにおいて、前記第１および第２の電極のそれぞれは、対応するセルに配分された有効なガス封入空間である放電空間を部分的に覆い、且つ前記隔壁における奇数表示ラインに対応するセルがもつ放電空間と偶数表示ラインに対応するセルがもつ放電空間とを隔てる水平壁部分をも部分的に覆う。さらに前記第２の電極のそれぞれにおける放電空間を覆う部分の前記第２方向の寸法が前記第１の電極のそれぞれにおける放電空間を覆う部分の前記第２方向の寸法よりも大きい。
【図面の簡単な説明】
【００１４】
【図１】従来のプラズマディスプレイパネルのセル構造を示す分解斜視図である。
【図２】有効対向面積と点灯アドレス電圧との関係を示す図である。
【図３】実施形態１の表示電極の形状および表示電極と隔壁との位置関係を示す図である。
【図４】隔壁の形状およびアドレス電極の形状を示す図である。
【図５】実施形態１のプラズマディスプレイパネルの要部断面構造の模式図である。
【図６】表示電極の形状の変形例を示す図である。
【図７】表示電極の形状の変形例を示す図である。
【図８】表示電極の形状の変形例を示す図である。
【図９】実施形態２の表示電極の構成を示す図である。
【図１０】遮光膜の形状の変形例を示す図である。
【図１１】実施形態３の表示電極の構成を示す図である。
【図１２】補助金属膜の効果を示す図である。
【図１３】補助金属膜の配置の変形例を示す図である。
【図１４】補助金属膜の配置の変形例を示す図である。
【図１５】補助金属膜の配置の変形例を示す図である。
【図１６】実施形態４の表示電極およびアドレス電極の形状を示す図である。
【図１７】実施形態５の表示電極の構成を示す図である。
【図１８】実施形態６の表示電極の構成を示す図である。
【発明を実施するための最良の形態】
【００１５】
本発明の実施に係るプラズマディスプレイパネルは、基本的には図１に示した従来例と同様の構成をもつ。すなわち、以下に例示される複数のプラズマディスプレイパネルは、ガス封入空間を挟む前面板と背面板、およびガス封入空間に充填された放電ガスから構成され、行および列に配置されたセルからなる所定サイズの画面を有する。前面板は第１および第２の電極を備え、背面板は第３の電極および隔壁を備える。以下の説明に用いる図では構成の理解を容易にするため、従来例に対応する構成要素に図１と共通の符合を付してある。記述を重複させないため、基本的構成の説明を省略し、特徴に重点をおいて実施の形態を説明する。【００１６】
〔実施形態１〕図３が示すように、実施形態１のプラズマディスプレイパネル１は、第１の電極である表示電極Ｘ、第２の電極である表示電極Ｙ、および平面視格子状の隔壁２３を備える。また、図４が示すように、プラズマディスプレイパネル１は第３の電極であるアドレス電極Ａを備える。図３ではアドレス電極Ａの図示が省略されている。【００１７】
まず、隔壁２３の構成を説明する。隔壁２３は画面の全体にわたる大きさをもつ厚さ１５０μｍ程度の低融点ガラスからなるメッシュである。図４において、隔壁２３は、図の上下方向である画面の垂直方向に延びる複数の垂直壁部分２４と、画面の水平方向に延びる複数の水平壁部分２５とを備える。各垂直壁部分２４は、表示ラインＬ１，Ｌ２，Ｌ３のそれぞれに対応する多数のセル（図ではその中の３個のセル５１，５２，５３が示されている）の間の境界を定める。各水平壁部分２５は、マトリクス表示の１つの列に対応するセルの間の境界を定める。垂直壁部分２４の配列ピッチは一定であり、水平壁部分２５の配列ピッチも一定である。ここで、表示ラインＬ１，Ｌ２，Ｌ３のそれぞれは、マトリクス表示の１行に対応する仮想のラインである。そして、セル５１は赤色発光素子であり、セル５２は緑色発光素子であり、セル５３は青色発光素子である。【００１８】
例示において各水平壁部分２５は平行に延びる２本の水平壁２５１，２５２からなる。水平壁部分２５を１本の水平壁とすることもできるが、２本の水平壁２５１，２５２によって構成することにより、すなわち空間３２を形成することにより、無駄な電力消費の要因である静電容量を低減することができる。それは隔壁材料の比誘電率よりも空間３２を満たす放電ガスの比誘電率の方が小さい（約１／８）からである。【００１９】
垂直壁部分２４のパターン幅は製造プロセスで決まる最小の値であるのが望ましく、一般に５０〜１００μｍ程度である。水平壁部分２５の幅Ｗ２５は、水平壁２５１，２５２のパターン幅と水平壁２５１，２５２に挟まれた空間３２の寸法との和であり、必然的に垂直壁部分２４のパターン幅よりも大きい。この幅Ｗ２５は、表示電極の要素である後述する金属膜（バス導体）のパターン幅よりも大きい値に選定される。【００２０】
このような隔壁２３はガス封入空間を多数の放電空間３１と多数の上記空間３２とに区画する。放電空間３１は隔壁２３によってセル５１，５２，５３に配分される有効なガス封入空間である。有効とは、発光に寄与する放電が生じることを意味する。空間３２もガス封入空間の一部分ではあるが、空間３２では放電は生じない。【００２１】
なお、図４のとおり、プラズマディスプレイパネル１における各アドレス電極Ａは垂直壁部分２４と平行に延びる一定幅の帯状導体であり、対応するセルの水平方向の中央を通る。また、メッシュパターンの隔壁２３の形成に際して隔壁材料の熱収縮率がパターン幅に依存することを利用し、特開２００５−２６０５０号公報の開示のように、隔壁２３における垂直壁部分２４と水平壁部分２５との交点付近を含む水平壁部分を局所的に窪ませ、それによってガス封入空間の排気コンダクスを高めることができる。【００２２】
次に表示電極Ｘ，Ｙの構成を説明する。【００２３】
図３において、表示電極の配列形式は、均等な電極間隙を設けて表示電極Ｘと表示電極Ｙとを交互に配列する形式である。この形式においては、全ての電極間隙で面放電を生じさせることができる。すなわち、配列の両端の電極を除いて、表示電極Ｘおよび表示電極Ｙは隣接する２本の表示ラインに対応する。そして、交互の配列であるので、隣接する２本の表示ラインの間で、表示電極Ｘと表示電極Ｙの配列順序が異なる。例えば、図において、表示ラインＬ１，Ｌ３を奇数表示ラインとし、表示ラインＬ２を偶数表示ラインとすると、奇数表示ラインＬ１，Ｌ３では、図の上側から下側へＹ−Ｘの順序で表示電極が並ぶのに対して、偶数表示ラインＬ２では上側から下側へＸ−Ｙの順序で表示電極が並ぶ。【００２４】
図３のように、表示電極Ｘ，Ｙはともに２列に並ぶ四角の穴をもつ帯状導体であり、透明導電材料と金属とからなる。すなわち、表示電極Ｘはその形状および幅Ｗｘを決める透明導電膜１３と導電性を良好にする直線帯状の金属膜（バス導体）１５とを有する。同様に表示電極Ｙもその形状および幅Ｗｙを決める透明導電膜１４とバス導体である直線帯状の金属膜１６とを有する。【００２５】
表示電極Ｘの透明導電膜１３は、金属膜１５が重なる直線帯状の給電部１３１、給電部１３１の両側で平行に延びる２本の直線帯状の放電部１３２、および給電部１３１と放電部１３２とを連結する多数の短冊状の連結部１３３から構成される。給電部１３１は、隔壁２３の水平壁部分を覆う位置（水平壁部分と重なる位置）に配置され、放電部１３２は放電空間を覆う位置（放電空間と重なる位置）に配置される。連結部１３３は各セルに１個ずつ配置され、各セルの水平方向の中央で給電部１３１と放電部１３２とを連結する。【００２６】
同様に、表示電極Ｙの透明導電膜１４は、金属膜１６が重なる直線帯状の給電部１４１、給電部１４１の両側で平行に延びる２本の直線帯状の放電部１４２、および給電部１４１と放電部１４２とを連結する多数の短冊状の連結部１４３から構成される。給電部１４１は、隔壁２３の水平壁部分を覆う位置に配置され、放電部１４２は放電空間を覆う位置に配置される。連結部１４３は各セルに１個ずつ配置され、各セルの水平方向の中央で給電部１４１と放電部１４２とを連結する。【００２７】
プラズマディスプレイパネル１は、表示電極Ｘの幅Ｗｘよりも表示電極Ｙの幅Ｗｙが大きいという特徴を有する。詳しくは、表示電極Ｘの給電部１３１および表示電極Ｙの給電部１４１は共通の幅Ｗ１をもち、表示電極Ｘの連結部１３３および表示電極Ｙの給電部１４３は共通の長さ（垂直方向の寸法）Ｗ３をもち、表示電極Ｘの放電部１３２の幅Ｗ２ｘよりも表示電極Ｙの放電部１４２の幅Ｗ２ｙが大きい。それ故に、表示電極Ｙにおける放電空間を覆う部分の垂直方向の寸法Ｄｙが表示電極Ｘにおける放電空間を覆う部分の垂直方向の寸法Ｄｘよりも大きい。【００２８】
寸法Ｄｙおよび寸法Ｄｘは、図３のａ−ａ矢視に対応する断面構造を示す図５のとおり、面放電ギャップ６０と水平壁部分２５との平面視距離である。寸法Ｄｙが寸法Ｄｘよりも大きいので、表示電極Ｘの放電部１３２とアドレス電極Ａとの対向面積よりも、表示ライン選択のためのスキャン電極として用いる表示電極Ｙの放電部１４２とアドレス電極Ａとの対向面積（有効対向面積）が大きい。したがって、寸法Ｄｙと寸法Ｄｘとが同じ値である場合と比べて、プラズマディスプレイパネル１ではアドレス放電ミスが起こりにくい。【００２９】
ただし、寸法Ｄｙと寸法Ｄｘとの差を大きくして面放電電極対の非対称性を極端にすると、表示電極Ｙセルにおいて目視で知覚し得る輝度の偏りが生じる。面放電ギャップ６０に対する表示電極Ｙの側が表示電極Ｘの側よりも明るくなる。このような輝度の偏りは、明暗の輝度差の明部の輝度に対する割合が約７〜８％以下であれば実用において許容される。このことから、実用の上で、表示電極Ｙの放電部の面積（Ｓｙ）を表示電極Ｘの放電部の面積（Ｓｘ）の１．３倍以下（Ｓｙ＜１．３Ｓｘ）とするのが望ましい。【００３０】
上述のとおり表示電極Ｘの連結部１３３および表示電極Ｙの給電部１４３が共通の長さＷ３をもつことは、製造における前面板と背面板との位置合わせの許容範囲を拡げる効果を奏する。表示電極Ｘ，Ｙと隔壁２３との配置に垂直方向の多少のずれが生じても、表示電極Ｘの連結部１３３と表示電極Ｙの連結部１４３とで差異が生じるだけで、放電空間３１に対応する領域内では、連結部１３３，１４３の面積が放電部１３２，１４２の面積よりも十分に小さいので、電極面積は位置ずれのない場合とさほど変わらず且つプラズマディスプレイパネル１の特徴である面放電電極対の非対称性がほぼ保たれる。【００３１】
表示電極Ｘ，Ｙの形状に関して図６、図７および図８に示される変形例がある。これら変形のいずれにおいても幅Ｗｙは幅Ｗｘよりも大きく、寸法Ｄｙは寸法Ｄｘよりも大きい。【００３２】
図６において、表示電極Ｘｂは透明導電膜１３ｂと金属膜１５とからなり、表示電極Ｙｂは透明導電膜１４ｂと金属膜１６とからなる。透明導電膜１３ｂは、図３の透明導電膜１３における直線帯状の放電部１３２を分断したものに相当し、セルに１個ずつ対応する複数の短冊状の放電部を有する。同様に、透明導電膜１４ｂは図３の透明導電膜１４における放電部１４２を分断したものに相当する。【００３３】
図７において、表示電極Ｘｃの透明導電膜１３ｃは、図３の透明導電膜１３における放電部１３２と連結部１３３とに代えて、給電部１３１から面放電ギャップまで張り出す複数の短冊状の放電部をセルに１個ずつ配置したものに相当する。対応する複数の短冊状の放電部を有する。同様に構成される表示電極Ｙｃの透明導電膜１４ｃは、金属膜１６と重なる給電部とセルに１個ずつ対応する複数の短冊状の放電部をもつ。【００３４】
図８において、表示電極Ｘｄは金属膜１５とそれよりも太い一定幅の直線帯状の透明導電膜１３ｄとで構成され、表示電極Ｙｄは金属膜１６とそれよりも太い一定幅の直線帯状の透明導電膜１４ｄとで構成される。【００３５】
〔実施形態２〕図９が示すように、実施形態２のプラズマディスプレイパネル２は、上記実施形態１のプラズマディスプレイパネル１に遮光体１７を追加したものである。遮光体１７を有することを除いて、プラズマディスプレイパネル２の構成はプラズマディスプレイパネル１の構成と同一であるので、幅Ｗｙは幅Ｗｘよりも大きく且つ寸法Ｄｙは寸法Ｄｘよりも大きい。プラズマディスプレイパネル２においても、寸法Ｄｙと寸法Ｄｘとが同じ値である場合と比べてアドレス放電ミスが起こりにくい。【００３６】
遮光体１７は、表示電極Ｘと表示電極Ｙとの非対称性に起因する上記の輝度の偏りを補正する要素であり、放電空間の一部を覆うように前面板に配置される。例えば遮光体１７は、ガラス基板１１の内面または外面に顔料を印刷することによって形成することができる。金属膜１５，１６の形成と同時に金属からなる遮光体１７を形成することもできる。【００３７】
図示では表示電極Ｙの幅方向の両端部に細い帯状の遮光体１７が１本ずつ配置されている。遮光体１７の配置位置およびパターン幅は放電空間を部分的に覆う限りにおいて任意であり、最小限の面積で輝度の偏りを有効に低減するよう適宜選定すればよい。【００３８】
図１０が示すプラズマディスプレイパネル２ｂは、セルごとに孤立した複数の遮光体１７ｂを備える。これによれば、遮光による輝度低下を抑えつつ輝度の偏りを補正する遮光パターンの最適化が容易である。【００３９】
〔実施形態３〕図１１が示す実施形態３のプラズマディスプレイパネル３は、上記実施形態１のプラズマディスプレイパネル１に補助金属膜１８を追加したものである。補助金属膜１８を有することを除いて、プラズマディスプレイパネル３の構成はプラズマディスプレイパネル１の構成と同一であるので、幅Ｗｙは幅Ｗｘよりも大きく且つ寸法Ｄｙは寸法Ｄｘよりも大きい。プラズマディスプレイパネル３においても、寸法Ｄｙと寸法Ｄｘとが同じ値である場合と比べてアドレス放電ミスが起こりにくい。【００４０】
補助金属膜１８は、アドレス放電および表示放電の放電確率を高めるために面放電ギャップの近傍に配置される。本例の補助金属膜１８は画面の全長にわたる細い直線帯状であり、表示電極Ｙの透明導電膜１４における幅方向の両端部および表示電極Ｘの透明導電膜１３における幅方向の両端部（端縁の近傍）に１本ずつ密着している。このような補助金属膜１８は例えばクロム−銅−クロムの積層からなり、金属膜１５，１６の形成と同時に形成される。金属膜１５，１６とは別に形成することもできる。【００４１】
図１２が示すように、補助金属膜１８を配置すると、補助金属膜１８がない実施形態１の構成と比べて、表示電極Ｙとアドレス電極Ａとの間のアドレス放電の放電遅れ時間が短くなる。これは表示電極Ｙの端縁部に導電性が透明導電膜１６よりも良好な補助金属膜１８が電気的に接する状態で存在することによって電界強度が強まるためと考えられる。【００４２】
補助金属膜１８は画面の全長にわたるので、補助金属膜１８を対応する表示電極Ｙの金属膜１６または対応する表示電極Ｘの金属膜１５と画面外で導通接続してもよい。それによれば、表示電極Ｙおよび表示電極Ｘのライン抵抗が下がるので、放電電流が流れるときの電極での電圧降下による輝度低下を低減することができるというさらなる効果が得られる。導通接続をしなくても、上述のように補助金属膜１８によって電界強度が強まる効果はある。【００４３】
補助金属膜１８の形状に関して図１３、図１４および図１５に示される変形例がある。これら変形のいずれにおいても幅Ｗｙは幅Ｗｘよりも大きく且つ寸法Ｄｙは寸法Ｄｘよりも大きいので、寸法Ｄｙと寸法Ｄｘとが同じ値である場合と比べてアドレス放電ミスが起こりにくい。【００４４】
図１３のプラズマディスプレイパネル３ｂにおいては、表示電極Ｙには図１１の例と同様に画面の全長にわたる細い直線帯状の補助金属膜１８が密着しており、表示電極Ｘにはセルに１個ずつ対応する複数の短い帯状の補助金属膜１８ｂが密着している。この構成によれば、補助金属膜１８および補助金属膜１８ｂが遮光体であって、面放電ギャップに対する表示電極Ｙの側の遮光面積が表示電極Ｘの側の遮光面積よりも大きいので、面放電電極対における放電部面積の非対称性に起因する上記の輝度の偏りが補正される。【００４５】
図１４のプラズマディスプレイパネル３ｃにおいては、表示電極Ｘおよび表示電極Ｙの双方にセルに１個ずつ対応する複数の短い帯状の補助金属膜１８ｂが密着している。この構成においても、補助金属膜１８ｂによって電界強度が強まってアドレス放電遅れが改善される。【００４６】
図１５のプラズマディスプレイパネル３ｄにおいては、表示電極Ｙにはセルに１個ずつ対応する複数の短い帯状の補助金属膜１８ｂが密着しており、表示電極Ｘには補助金属膜１８ｂよりも短い帯状の補助金属膜１８ｃが密着している。この構成においては、補助金属膜１８ｂおよび補助金属膜１８ｃによってアドレス放電遅れが改善されるとともに輝度の偏りが補正される。【００４７】
〔実施形態４〕図１６が示す実施形態４のプラズマディスプレイパネル４は、上記実施形態１のプラズマディスプレイパネル１のアドレス電極Ａに代えてアドレス電極Ａｂを配置したものである。アドレス電極形状を除いて、プラズマディスプレイパネル４の構成はプラズマディスプレイパネル１の構成と同一であるので、プラズマディスプレイパネル４においても幅Ｗｙは幅Ｗｘよりも大きく且つ寸法Ｄｙは寸法Ｄｘよりも大きい。【００４８】
アドレス電極Ａｂは、アドレス放電にかかる有効対向面積を大きくするために、部分的に幅の大きい帯状に形成されている。すなわち、アドレス電極Ａｂはアドレス放電のためのパッド（膨大化部）を有する。アドレス電極Ａｂにおける表示電極Ｙと交差する部分の幅Ｗａｙが、表示電極Ｘと交差する部分の幅Ｗａｘよりも大きい。アドレス電極Ａｂにおいて、隔壁２３における水平壁部分の垂直方向の中央に対して対称となるようパッドを配置するのが望ましい。【００４９】
プラズマディスプレイパネル４においては、寸法Ｄｙと寸法Ｄｘとが同じ値である場合と比べて表示電極Ｙの有効対向面積を大きく、さらにアドレス電極Ａｂのパッドによって有効対向面積が増大されているので、アドレス放電確率が高く安定した安定したアドレッシングが可能である。【００５０】
〔実施形態５〕図１７が示す実施形態５のプラズマディスプレイパネル５は、上記実施形態１のプラズマディスプレイパネル１の表示電極Ｘおよび表示電極Ｙに代えて表示電極Ｘｅおよび表示電極Ｙｅを配列したものである。【００５１】
プラズマディスプレイパネル５における表示電極の配列形式は、表示ラインＬ１，Ｌ２，Ｌ３のそれぞれに個別の一対の電極（表示電極Ｘｅおよび表示電極Ｙｅ）を対応させ、且つ隣接する２本の表示ラインの間で配列順序を異ならせる形式である。この形式においては、表示電極Ｘｅおよび表示電極Ｙｅのそれぞれの片側に位置する電極間隙で面放電を生じさせることができる。残りの片側に位置する電極間隙では隔壁２３の水平壁部分によって放電が防止される。【００５２】
図１７において、表示ラインＬ１，Ｌ３を奇数表示ラインとし、表示ラインＬ２を偶数表示ラインとすると、奇数表示ラインＬ１，Ｌ３では、図の上側から下側へＹｅ−Ｘｅの順序で表示電極が並ぶのに対して、偶数表示ラインＬ２では上側から下側へＸｅ−Ｙｅの順序で表示電極が並ぶ。このように隣接する２本の表示ラインの間で配列順序が異なるので、隣接する２本の表示電極Ｘｅは互いの電極間隙を中心線として対称に形成され、同様に隣接する２本の表示電極Ｙｅは互いの電極間隙を中心線として対称に形成される。【００５３】
図示のとおり、表示電極Ｘｅおよび表示電極Ｙｅはともに１列に並ぶ四角の穴をもつ帯状導体であり、透明導電材料と金属とからなる。表示電極Ｘｅはその形状および幅Ｗｘｂを決める透明導電膜１３ｅと導電性を良好にする直線帯状の金属膜（バス導体）１５ｅとを有する。同様に表示電極Ｙｅもその形状および幅Ｗｙｂを決める透明導電膜１４ｅとバス導体である直線帯状の金属膜１６ｅとを有する。【００５４】
表示電極Ｘｅの透明導電膜１３ｅは、金属膜１５ｅが重なる直線帯状の給電部１３１ｅ、給電部１３１ｅと平行に延びる１本の直線帯状の放電部１３２、および給電部１３１ｅと放電部１３２とを連結する多数の短冊状の連結部１３３から構成される。給電部１３１ｅは、隔壁２３の水平壁部分を覆う位置（水平壁部分と重なる位置）に配置され、放電部１３２は放電空間を覆う位置（放電空間と重なる位置）に配置される。連結部１３３は各セルに１個ずつ配置され、各セルの水平方向の中央で給電部１３１ｅと放電部１３２とを連結する。【００５５】
同様に、表示電極Ｙｅの透明導電膜１４ｅは、金属膜１６ｅが重なる直線帯状の給電部１４１ｅ、給電部１４１ｅと平行に延びる１本の直線帯状の放電部１４２、および給電部１４１ｅと放電部１４２とを連結する多数の短冊状の連結部１４３から構成される。給電部１４１ｅは、隔壁２３の水平壁部分を覆う位置に配置され、放電部１４２は放電空間を覆う位置に配置される。連結部１４３は各セルに１個ずつ配置され、各セルの水平方向の中央で給電部１４１ｅと放電部１４２とを連結する。【００５６】
図１７と図３との見比べて分かるように、表示電極Ｘｅおよび表示電極Ｙｅは、実施形態１〜４の表示電極Ｘおよび表示電極Ｙを幅方向の中央で２本に分断したものに相当する。表示ラインごとに面放電電極対が独立しているので、比較的に簡単な駆動シーケンスでプログレッシブ表示を行うことができる。【００５７】
図１７のプラズマディスプレイパネル５は、表示電極Ｘｅの幅Ｗｘｂよりも表示電極Ｙの幅Ｗｙｂが大きいという特徴を有する。詳しくは、表示電極Ｘｅの給電部１３１ｅおよび表示電極Ｙｅの給電部１４１ｅは共通の幅Ｗ１ｂをもち、表示電極Ｘｅの連結部１３３および表示電極Ｙｅの給電部１４３は共通の長さ（垂直方向の寸法）Ｗ３をもち、表示電極Ｘｅの放電部１３２の幅Ｗ２ｘよりも表示電極Ｙの放電部１４２の幅Ｗ２ｙが大きい。それ故に、表示電極Ｙｅにおける放電空間を覆う部分の垂直方向の寸法Ｄｙが表示電極Ｘｅにおける放電空間を覆う部分の垂直方向の寸法Ｄｘよりも大きい。【００５８】
したがって、プラズマディスプレイパネル５においても、寸法Ｄｙと寸法Ｄｘとが同じ値である場合と比べて、アドレス放電に係る有効対向面積が大きいので、アドレス放電ミスが起こりにくい。【００５９】
〔実施形態６〕図１８が示す実施形態６のプラズマディスプレイパネル６は、上記実施形態１のプラズマディスプレイパネル１の表示電極Ｙに代えて表示電極Ｙｅを配列したものである。プラズマディスプレイパネル１における複数の表示電極Ｙのそれぞれが２本の表示電極Ｙｅに置き換わったことを除いて、プラズマディスプレイパネル６の構成はプラズマディスプレイパネル１の構成と同一である。表示電極Ｙｅの構成は図１７のプラズマディスプレイパネル５の表示電極Ｙｅと同一である。【００６０】
図１８の電極配列では、表示電極Ｘは隣接する２本の表示ラインに対応し、表示電極Ｙｅは１本の表示ラインに対応する。プラズマディスプレイパネル６においても、隣接する２本の表示ラインの間で表示電極Ｘと表示電極Ｙｅの配列順序が異ならせる。すなわち、奇数表示ラインＬ１，Ｌ３では、図の上側から下側へＹｅ−Ｘの順序で表示電極が並ぶのに対して、偶数表示ラインＬ２では上側から下側へＸ−Ｙｅの順序で表示電極が並ぶ。【００６１】
表示電極Ｙｅの幅Ｗｙｂは表示電極Ｘの幅Ｗｘよりも小さい。しかし、各セルに注目すると、表示電極Ｙｅにおける放電空間を覆う部分の垂直方向の寸法Ｄｙは表示電極Ｘにおける放電空間を覆う部分の垂直方向の寸法Ｄｘよりも大きい。したがって、プラズマディスプレイパネル６においても、寸法Ｄｙと寸法Ｄｘとが同じ値である場合と比べて、アドレス放電に係る有効対向面積が大きいので、アドレス放電ミスが起こりにくい。【００６２】
電極配列の変形例として、図示を省略するが、上記実施形態１のプラズマディスプレイパネル１における複数の表示電極Ｘのそれぞれを２本の表示電極Ｘｅに置き換える構成がある。この変形例においても寸法Ｄｙが寸法Ｄｘよりも大きいので、アドレス放電ミスが起こりにくい。【００６３】
以上の実施形態において、隔壁２３の水平壁部分２５は、２本の水平壁２５１，２５２からなるものに限らず、１本または３本以上の水平壁からなるものや、複数の水平壁とそれらに繋がった短い垂直壁からなるものであってもよい。電極および隔壁の形状は本発明の主旨に沿って適宜変更することができる。表示電極を構成する透明導電膜は、表示ラインの全長にわたる帯状に限らず、セルごとに独立した島状（四角形、Ｔ字状、Ｉ字状を含む）であってもよい。隔壁２３の高さおよびパターン幅はセルサイズに応じて選定すればよい。表示電極を背面板に配置する場合には、表示電極を金属電極としてもよい。その場合には隔壁２３の水平壁部分２５のパターン幅を製造条件で決まる下限まで小さくして、アドレス放電に係る有効対向面積をより大きくすることができる。【００６４】
上記の実施形態１〜６を適宜組み合わせることができる。例えば、図１７の実施形態５の単独型表示電極配列に、図１６の実施形態４のアドレス電極の局部的な膨大化を組み合わせてもよい。遮光体１７，１７ｂを設ける実施形態２とアドレス電極を局部的に膨大化する実施形態４との組合せ、および補助金属膜１８，１８ｂ、１８ｃを設ける実施形態２に実施形態４の特徴を加えてもよい。
【産業上の利用可能性】
【００６５】
本発明は、プラズマディスプレイパネルの性能の向上に貢献する。
【図１】
2008001428.tif 000003
【図２】
2008001428.tif 000004
【図３】
2008001428.tif 000005
【図４】
2008001428.tif 000006
【図５】
2008001428.tif 000007
【図６】
2008001428.tif 000008
【図７】
2008001428.tif 000009
【図８】
2008001428.tif 000010
【図９】
2008001428.tif 000011
【図１０】
2008001428.tif 000012
【図１１】
2008001428.tif 000013
【図１２】
2008001428.tif 000014
【図１３】
2008001428.tif 000015
【図１４】
2008001428.tif 000016
【図１５】
2008001428.tif 000017
【図１６】
2008001428.tif 000018
【図１７】
2008001428.tif 000019
【図１８】
2008001428.tif 000020
【国際調査報告】
2008001428.tif 000021
2008001428.tif 000022
2008001428.tif 000023
2008001428.tif 000024